(57)【要約】  【課題】  よりリアルに在宅を装うことが可能な照明制御装置を提供する。  【解決手段】  設定された時間帯において照明器具２が点灯制御される照明制御装置である。日によって前記時間帯の開始時刻(点灯開始時刻)がその近辺(あらかじめ設定された開始時刻の±１時間以内程度)で周期的に変化する。また、前記時間帯の開始時刻を固定して、前記時間帯の終了時刻(消灯開始時刻)をその近辺(あらかじめ設定された終了時刻の±１時間以内程度)で周期的に変化させてもよいし、日によって前記時間帯の開始時刻および終了時刻ともそれらの近辺で周期的に変化させてもよい。また、日によって前記時間帯の開始時刻または／および終了時刻がそれら近辺でランダムに変化されてももちろんよい。【選択図】  図４
2005078834.tif 000002
【特許請求の範囲】
【請求項１】
設定された時間帯において照明器具が点灯制御される照明制御装置であって、日によって前記時間帯の開始時刻または／および終了時刻がそれらの近辺で周期的またはランダムに変化される照明制御装置。
【請求項２】
設定された時間帯において照明器具が点灯制御される照明制御装置であって、前記時間帯の途中で前記照明器具が短時間に渡って消灯または減光制御される照明制御装置。
【請求項３】
設定された時間帯において照明器具が点灯制御される照明制御装置であって、日によって前記照明器具の点灯モードが周期的またはランダムに変化される照明制御装置。
【発明の詳細な説明】
【技術分野】
【０００１】
本発明は、タイマー機能をもつリモコン送信器などと、これによって制御される照明器具を対象とした照明制御装置に関する。
【背景技術】
【０００２】
このようなリモコン送信器は特許文献１で知られ、その段落「００４６」には、あらかじめ設定された時刻にリモコン信号が照明器具に送信されることが記載されている。この機能を用いると、自宅を留守にする場合に、防犯のためにあたかも家人が在宅しているかのように、設定した時間帯で自宅の照明器具を点灯制御させることができる。例えば、毎日、１７：００から２３：００の時間帯で照明器具を自動的に点灯させておくことができる。
【特許文献１】特開２００１−２８５９７０号公報
【発明の開示】
【発明が解決しようとする課題】
【０００３】
しかし、比較的長期に渡って留守にする場合では、毎日、決まった時間帯に照明器具が点灯していると、実は、人が在宅していないのではないかと、犯罪者に見抜かれる可能性が高く防犯性が薄れてしまうという解決すべき課題があることに着目されるべきである。本発明はこのような解決すべき課題を鑑み、よりリアルに在宅を装うことが可能な照明制御装置を提供することを目的とする。
【課題を解決するための手段】
【０００４】
本発明を要約すると、設定された時間帯において照明器具が点灯制御される照明制御装置であって、日によって前記時間帯の開始時刻または／および終了時刻がそれらの近辺で周期的またはランダムに変化される照明制御装置である。また、設定された時間帯において照明器具が点灯制御される照明制御装置であって、前記時間帯の途中で前記照明器具が短時間に渡って消灯または減光制御される照明制御装置である。また、設定された時間帯において照明器具が点灯制御される照明制御装置であって、日によって前記照明器具の点灯モードが周期的またはランダムに変化される照明制御装置である。
【発明の効果】
【０００５】
本発明によれば、比較的長期に渡って自宅を留守にするような場合に、よりリアルに在宅を装うことが可能な照明制御装置を提供できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
まず、図１〜３に基づいて説明すれば、住宅１の内部において天井には照明器具２が取り付けられ、壁には照明器具２をリモコン制御できるリモコン送信器３がセットされている。そして、照明器具２には、主光源となる蛍光ランプ４や図示されない豆球などの補助光源、さらには、リモコン送信器３からのリモコン信号を受ける受信部５などが設けられる。
【０００８】
リモコン送信器３は、マイコン６、マイコン６からの制御出力信号を電流増幅するトランジスタなどで構成したドライバー７、ドライバー７で駆動されて赤外線リモコン信号を外部に送信する発光ダイオード８、マイコン６に接続された時刻表示用のディスプレイ９を備えている。さらに、マイコン６には操作スイッチ(押しボタン)１０〜１８、可視発光ダイオード１９、２０が接続される。なお、発光ダイオード８は複数あり、リモコン送信器３を壁掛けと床置きのどちらで使用しても、照明器具２にリモコン信号が届きやすいように、リモコン送信器３の前端側と表面側にそれぞれ設けられている。
【０００９】
操作スイッチ１０を押すと蛍光ランプ４を全光点灯させるリモコン信号を送信でき、操作スイッチ１１を押すと蛍光ランプ４を調光(減光)点灯させるリモコン信号を送信でき、操作スイッチ１２を押すと豆球などの補助光源を点灯させるリモコン信号を送信でき、操作スイッチ１３を押すと蛍光ランプ４および前記補助光源を消灯させるリモコン信号を送信できる。
【００１０】
操作スイッチ１４は留守にする際に押す留守番モードスイッチで、操作スイッチ１４を一度押すと留守番モードになって近傍の発光ダイオード１９が点灯し、もう一度押すと留守番モードが解除されて発光ダイオード１９が消灯するという繰り返し動作をする。操作スイッチ１５は就寝したい場合に押すおやすみタイマースイッチ(押されてから30分経過後に消灯命令のリモコン信号が送信される)であり、操作スイッチ１５を一度押すとおやすみタイマーモードになって近傍の発光ダイオード２０が点灯し、もう一度押すとおやすみタイマーモードが解除されて発光ダイオード２０が消灯するという繰り返し動作をする。
【００１１】
操作スイッチ１６〜１８はディスプレイ９に関連するものであり、操作スイッチ１６を押すたびに、現在時刻、タイマー動作時間帯の開始時刻、タイマー動作時間帯の終了時刻の３つの表示モードに切り替えられる。なお、図２と図３は現在時刻表示モード中であり、「現在」と表示されているが、タイマー動作時間帯の開始時刻、タイマー動作時間帯の終了時刻の表示モード中ではそれぞれ、「開始」、「終了」などとと表示される。操作スイッチ１７は前記表示モードに対応してそのモードの時分を設定するものであり、操作スイッチ１７を押すたびに時分表示を進めることができる。そして、このようにして設定した時分は操作スイッチ１８を押すことにより決定されるものである。なお、メーカー出荷時に例えば、タイマー動作時間帯の開始時刻を１７：００、タイマー動作時間帯の終了時刻を２３：００にあらかじめ設定(決定)しておくと大抵のユーザーにとって好ましい。
【００１２】
そうすると、留守にする際に操作スイッチ１４を押して留守番モードにしておくだけで、毎日、１７：００になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯するといった具合に、留守にもかかわらず、あたかも家人が在宅しているかのように照明器具２が点灯制御される。
【００１３】
しかし、比較的長期に渡って留守にする場合では、毎日、決まった時間帯に照明器具２が点灯していると、実は、人が在宅していないのではないかと、犯罪者に見抜かれる可能性が高く防犯性が薄れてしまう。そこで、これを解決する具体的手段を図４に基づいて説明する。図４(Ａ)は留守番モード第一日目の動作を示し、前記設定時間帯通りに照明器具２が点灯制御される。すなわち、１７：００になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯する。図４(Ｂ)は留守番モード第二日目の動作を示し、１７：１５になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯する。図４(Ｃ)は留守番モード第三日目の動作を示し、１６：４５になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯する。そして、留守番モード第四日目の動作は再び図４(Ａ)に戻り、以下同様に繰り返されて周期的動作がなされる。マイコン６をこのようにプログラム動作させるとよい。
【００１４】
図４では、日によって前記時間帯の開始時刻(点灯開始時刻)がその近辺(あらかじめ設定された開始時刻の±１時間以内程度)で周期的に変化しているが、前記時間帯の開始時刻を固定して、前記時間帯の終了時刻(消灯開始時刻)をその近辺(あらかじめ設定された終了時刻の±１時間以内程度)で周期的に変化させてもよいし、日によって前記時間帯の開始時刻および終了時刻ともそれらの近辺で周期的に変化させてもよい。また、日によって前記時間帯の開始時刻または／および終了時刻がそれら近辺でランダムに変化されてももちろんよい。これらの手段により、よりリアルに在宅を装うことが可能な照明制御装置を提供できる。
【００１５】
図５は、前記実施形態と同様に、設定された時間帯において照明器具２が点灯制御される照明制御装置であるが、前記時間帯の途中で前記照明器具２が短期間に渡って消灯制御される照明制御装置を示す。すなわち、照明器具２がタイマー点灯している全体の時間帯は１７：００〜２３：００のように決まっているが、その時間帯の途中で前記照明器具２が短時間(最大10分程度)に渡って消灯制御されることに特徴がある。すなわち、前記時間帯中に消灯命令のリモコン信号が送信されてから、１０分以内に点灯命令のリモコン信号が送信されるようにする。この短時間消灯回数は複数あってもよい。また、前記時間帯の途中で前記照明器具２が短期間に渡って減光制御されてもよい。減光とは、例えば、蛍光ランプ４が調光点灯されたり、豆球などの補助光源のみが点灯したりすることを言う。いずれにしてもこのようにすると、さらにリアルに在宅を装うことが可能な照明制御装置を提供できる。もちろん、前記実施形態と組み合わせて、日によって前記全体の時間帯の開始時刻または／および終了時刻はそれら近辺で周期的またはランダムに変化してもよい。
【００１６】
また、設定時間帯における照明器具２の点灯モードが日によって周期的またはランダムに変化される実施形態も可能であり、例えば、タイマー点灯開始時刻のリモコン信号として、日によって全光点灯命令のリモコン信号と調光点灯命令のリモコン信号が交互にまたはランダムに送信されてもよい。さらには、留守番モード時に、８：００、１：００など設定時間帯から離れた時刻付近に短時間(最大１時間程度)の点灯時間帯を設けてもよい。
【００１７】
以上示した実施形態によれば、比較的長期に渡って自宅を留守にするような場合に、よりリアルに在宅を装うことが可能な照明制御装置を提供でき、比較的安価に防犯目的を達成できる。なお、照明器具２に時計機能を内蔵させることにより本発明によるタイマー制御機能を照明器具２側にもたせてももちろんよい。
【図面の簡単な説明】
【００１８】
【図１】全体概略図
【図２】同リモコン送信器の正面図
【図３】同回路ブロック図
【図４】本発明による点灯制御状態を示すタイミング図
【図５】本発明による他の点灯制御状態を示すタイミング図
【符号の説明】
【００１９】
２  照明器具
３  リモコン送信器
１４  操作スイッチ(留守番モードの設定／解除用)
【図１】
2005078834.tif 000003
【図２】
2005078834.tif 000004
【図３】
2005078834.tif 000005
【図４】
2005078834.tif 000006
【図５】
2005078834.tif 000007